(57)【要約】【課題】排除券カセットの搬送中における排除券の不正取出を検知することが可能な紙葉類不正取出検知方法および紙葉類不正取出検知システムを提供することである。【解決手段】実施形態の紙葉類不正取出検知方法は、紙葉類の振分け処理により振分けられた少なくとも１枚の排除券を排除券カセットに収容し、前記排除券上にＩＣカードを備えた区分カードを配置し、前記排除券および区分カードを収容した前記排除券カセットを搬送する間、前記区分カードの情報を前記排除券カセットに設けられたＩＣカードリーダで読み取り、前記ＩＣカードリーダによって読み取られた前記区分カードの横方向の位置または距離に基づいて、前記排除券カセットからの前記排除券の不正取出を検知する。【選択図】図８
2018116393.tif 000002
【特許請求の範囲】
【請求項１】
紙葉類の振分け処理により振分けられた少なくとも１枚の排除券を排除券カセットに収容し、
前記排除券上にＩＣカードを備えた区分カードを配置し、
前記排除券および区分カードを収容した前記排除券カセットを搬送する間、前記区分カードの情報を前記排除券カセットに設けられたＩＣカードリーダで読み取り、
前記ＩＣカードリーダによって読み取られた前記区分カードの横方向の位置または距離に基づいて、前記排除券カセットからの前記排除券の不正取出を検知する、
紙葉類不正取出検知方法。
【請求項２】
振分け対象となる１つの紙葉類の束から得られた排除券を前記排除券カセットに収容する毎に、前記区分カードを前記排除券上に配置する、
請求項１に記載の紙葉類不正取出検知方法。
【請求項３】
解除信号を受信した場合、前記ＩＣカードリーダによる前記区分カードの情報の読み取りを停止する、
請求項１または２に記載の紙葉類不正取出検知方法。
【請求項４】
前記排除券上に区分カードを配置する前に、前記区分カードに対して前記紙葉類に関連する情報を書き込む、
請求項１から３のいずれか一項に記載の紙葉類不正取出検知方法。
【請求項５】
前記区分カードに書き込まれた前記紙葉類に関連する情報を用いて、前記紙葉類の照合処理を行う、
請求項４に記載の紙葉類不正取出検知方法。
【請求項６】
紙葉類の振分け処理を行い排除券を排除券カセットに収容する紙葉類処理装置と、
前記排除券カセットに収容された前記排除券を計数し、前記紙葉類の照合処理を行う照合装置と
を備える紙葉類不正取出検知システムであって、
前記排除券カセットは、
前記排除券カセットに収容された前記排除券上に区分カードを配置する区分カード供給部と、
前記排除券および区分カードを収容した前記排除券カセットを搬送する間、前記区分カードの情報を読み取るＩＣカードリーダと
を備え、
前記照合装置は、前記ＩＣカードリーダによって読み取られた前記区分カードの横方向の位置または距離に基づいて、前記排除券カセットからの前記排除券の不正取出を検知する、
紙葉類不正取出検知システム。
【請求項７】
前記排除券カセットは、
前記区分カードに対して前記紙葉類に関連する情報を書き込む区分カード書込み部をさらに備え、
前記照合装置は、前記区分カードに書き込まれた前記紙葉類に関連する情報を用いて、前記紙葉類の照合処理を行う、
請求項６に記載の紙葉類不正取出検知システム。
【発明の詳細な説明】
【技術分野】
【０００１】
本発明の実施形態は、紙葉類不正取出検知方法および紙葉類不正取出検知システムに関する。
【背景技術】
【０００２】
紙葉類処理システムとは、紙葉類を紙葉類処理装置で読み取り、正損判定を行い、紙葉類の種類毎に振分けするシステムである。紙葉類処理装置が判別できなかった紙葉類は、排除券として排除券カセットに格納され、照合用の専用機器（以下、「照合装置」と呼ぶ）によって精査される。照合装置は、紙葉類処理装置とは異なる場所に設けられているため、排除券を格納した排除券カセットを人手などを介して搬送する必要がある。このため、排除券カセットの搬送中における排除券の盗難リスクを低減する必要がある。また、紙葉類処理システムの運用中にデータベースの故障などが発生した場合には、紙葉類処理装置に投入された紙葉類の情報などが取得できなくなる。この場合、データベースが復旧するまでは照合処理および排除券の盗難の検知を行うことが困難となる場合がある。
【先行技術文献】
【特許文献】
【０００３】
【特許文献１】特開昭６４−３７９２号公報
【特許文献２】特開２０１４−１７０４２１号公報
【特許文献３】国際公開第２０１５／１１４７４６号
【発明の概要】
【発明が解決しようとする課題】
【０００４】
本発明が解決しようとする課題は、排除券カセットの搬送中における排除券の不正取出を検知することが可能な紙葉類不正取出検知方法および紙葉類不正取出検知システムを提供することである。
【課題を解決するための手段】
【０００５】
実施形態の紙葉類不正取出検知方法は、紙葉類の振分け処理により振分けられた少なくとも１枚の排除券を排除券カセットに収容し、前記排除券上にＩＣカードを備えた区分カードを配置し、前記排除券および区分カードを収容した前記排除券カセットを搬送する間、前記区分カードの情報を前記排除券カセットに設けられたＩＣカードリーダで読み取り、前記ＩＣカードリーダによって読み取られた前記区分カードの横方向の位置または距離に基づいて、前記排除券カセットからの前記排除券の不正取出を検知する。
【図面の簡単な説明】
【０００６】
【図１】第１の実施形態に係る紙葉類不正取出検知システムの構成図。
【図２】第１の実施形態に係る紙葉類処理装置の断面図。
【図３】第１の実施形態に係る排除券カセットの外観図。
【図４】第１の実施形態に係る排除券カセットの断面図。
【図５】第１の実施形態に係る排除券収容部に収容された排除券および区分カードの配置の一例を示す図。
【図６】第１の実施形態に係る排除券カセットの制御構成を示すブロック図。
【図７】第１の実施形態に係る照合装置の制御構成を示すブロック図。
【図８】第１の実施形態に係る紙葉類不正取出検知システムの動作の流れを示すフローチャート。
【図９】第２の実施形態に係る排除券カセットの制御構成を示すブロック図。
【図１０】第２の実施形態に係る紙葉類不正取出検知システムの動作の流れを示すフローチャート。
【発明を実施するための形態】
【０００７】
以下、実施形態の紙葉類不正取出検知方法および紙葉類不正取出検知システムを、図面を参照して説明する。
【０００８】
（第１の実施形態）
図１は、第１の実施形態に係る紙葉類不正取出検知システム１の構成図である。紙葉類不正取出検知システム１は、排除券の不正取出検知処理を行う。以下、紙葉類として紙幣を例に挙げて説明する。
【０００９】
紙葉類不正取出検知システム１は、例えば、紙葉類処理装置２と、照合装置３とを備える。紙葉類処理装置２は、紙幣Ｐの正損判定を行い、紙幣Ｐの種類毎に振分けを行う。紙葉類処理装置２は、例えば、紙幣Ｐを、正券（再流通可能な正常な券）、損券（損傷があり最流通不可能な券）および正損判定ができなかった判別不能券などの排除券Ｔに振分ける。紙葉類処理装置２は、排除券Ｔを、紙葉類処理装置２に設けられた排除券カセットに集積する。排除券カセットに集積された排除券Ｔは、例えば、搬送員Ｍによって照合装置３に搬送され、照合装置３によって照合処理が行われる。照合処理とは、照合装置３によって計数された排除券Ｔの枚数と、紙葉類処理装置２によって振分けされた正券および損券の枚数とを足し合わせ、紙葉類処理装置２に投入された紙幣Ｐの枚数と照らし合わせる処理を言う。紙葉類不正取出検知システム１は、このような排除券カセットの搬送時における排除券Ｔの不正取出を検知する処理を行う。
【００１０】
図２は、本実施形態に係る紙葉類処理装置２の断面図である。紙葉類処理装置２は、例えば、供給部１１と、ローラ１２と、異物回収部１３と、搬送路１４と、搬送部１５と、鑑査装置１６と、ラインセンサ１７と、バーコードリーダ１８と、リジェクト部１９と、排除券カセット２０と、集積庫２１から２３とを備える。供給部１１には、所定枚数の束毎に複数枚の紙幣Ｐが載置される。ローラ１２は、供給部１１から紙幣Ｐを１枚ずつ搬送路１４に送り出す。ローラ１２によって送り出された紙幣Ｐは、搬送路１４に沿って搬送される。搬送路１４には、複数組の図示しない無端状の搬送ベルトが搬送路を挟むように延設されている。ローラ１２によって送り出された紙幣Ｐは、搬送ベルトに挟持されて搬送される。
【００１１】
搬送路１４は、ローラ１２を通過した位置から鑑査装置１６に向けて傾斜して延びている。これにより、供給部１１から紙幣Ｐと共に、クリップ、コイン、ピン等の異物が搬送路１４に送り出された際、異物は重力により搬送路１４の最下部に落下する。これにより、異物が鑑査装置１６に入ることを防止し、異物による鑑査装置１６の損傷を防止することができる。
【００１２】
搬送路１４の最下部には、異物回収部１３が配置されている。異物回収部１３は、例えば、装置本体から引き出し可能な回収箱により構成されている。搬送路１４に沿って落下する異物は、異物回収部１３に落下して回収される。
【００１３】
搬送部１５は、紙幣と紙幣の間隔が所定の間隔となるように紙幣Ｐの搬送速度を調整し、紙幣Ｐを鑑査装置１６へと搬送する。鑑査装置１６は、紙幣Ｐの画像を読み取り、紙幣Ｐの券種、紙幣Ｐの表裏の向き、および紙幣Ｐの異常（破れ、折れ、汚れ等）を検出する。鑑査装置１６は、例えば、ＬＥＤ（Light Emitting Diode）等の発光素子と、ＣＣＤ（Charge Coupled Device）やＣＭＯＳ（Complementary Metal Oxide Semiconductor）等の光電変換素子とを備えるラインセンサ１７を内蔵している。
【００１４】
紙幣Ｐの異常が検出された場合、紙葉類処理装置２は、紙幣Ｐを搬送路１４に沿って搬送し、紙幣Ｐをリジェクト部１９に集積する。一方、紙幣Ｐの異常が検出されなかった場合、紙葉類処理装置２は、紙幣Ｐをバーコードリーダ１８に通過させた後、紙幣Ｐの券種に応じて紙幣Ｐを集積庫２１から２３に振り分けて集積する。また、正損判定ができなかった場合、紙葉類処理装置２は、紙幣Ｐを排除券Ｔとして排除券カセット２０に集積する。以上が、紙幣の振分け処理である。
【００１５】
次に、本実施形態における排除券カセットについて説明する。図３は、本実施形態に係る排除券カセット２０の外観図である。
【００１６】
排除券カセット２０は、例えば、排除券Ｔを収容する筐体３０と、筐体３０の上面を構成する蓋部３２とを備える。筐体３０の内部には、例えば、排除券収容部３４と、区分カード収容部４０とが設けられている。また、筐体３０の側面には、排除券取出し部４２が設けられている。蓋部３２は、例えば、ＩＣカードリーダ３６を備えている。また、蓋部３２には、例えば、排除券投入部３８が設けられている。
【００１７】
排除券収容部３４は、搬送路１４によって搬送されて排除券投入部３８から投入された排除券Ｔを収容する。区分カード収容部４０は、例えば、同一の紙幣束に対して振分け処理を行うことにより得られた排除券Ｔを紙幣束毎に区分する区分カードＢを複数枚収容する。同一の紙幣束とは、出向元（提供元）が同じ銀行であるといった、所望の関連付けがなされた紙幣の集まりであってよい。この複数の区分カードＢは、互いに区別される識別情報が記憶された非接触型ＩＣカードを備えている。また、区分カード収容部４０には、区分カードＢを排除券収容部３４に送り出すための駆動機構（ローラ、モータなど）が設けられている。
【００１８】
排除券取出し部４２は、排除券収容部３４に収容された排除券Ｔを取り出すための取出し口である。例えば、排除券カセット２０を搬送する搬送員は、この排除券取出し部４２を下方向にスライドさせ、排除券収容部３４から排除券Ｔを取出す。
【００１９】
蓋部３２に設けられたＩＣカードリーダ３６は、排除券収容部３４内に収容された区分カードＢの情報を読み取る。例えば、ＩＣカードリーダ３６は、ＩＣカードリーダ３６と区分カードＢとの距離、区分カードＢの横方向の位置などを読み取る。
【００２０】
図４は、図２に示されたＡ−Ａ方向に切断された排除券カセット２０の断面図である。図４に示すように、排除券収容部３４内には、載置部４４が設けられている。この載置部４４上には、排除券投入部３８から投入された排除券Ｔが積層して載置される。また、これらの積層された排除券Ｔの間には、区分カードＢが挿入されている。また、載置部４４の下部にはバネ４６が配置されている。バネ４６は、収容される排除券Ｔの枚数に応じて伸縮するように配置されている。
【００２１】
図５は、排除券収容部３４に収容された排除券Ｔおよび区分カードＢの配置の一例を示す図である。図５に示す例では、まず、紙葉類処理装置２の起動時に第１の区分カードＢ１が区分カード収容部４０から送り出されて載置部４４上に載置される。次に、第１の紙幣Ｐの束（例えば、１０００枚の紙幣）が紙葉類処理装置２に投入されて鑑査装置１６によって排除券と判定された３枚の第１の排除券Ｔ１が載置部４４上（第１の区分カードＢ１上）に載置される。次に、第２の区分カードＢ２が区分カード収容部４０から送り出されて載置部４４上（第１の排除券Ｔ１上）に載置される。次に、第２の紙幣Ｐの束（例えば、１０００枚の紙幣）が紙葉類処理装置２に投入されて鑑査装置１６によって排除券と判定された２枚の第２の排除券Ｔ２が載置部４４上（第２の区分カードＢ２上）に載置される。次に、第３の区分カードＢ３が区分カード収容部４０から送り出されて載置部４４上（第２の排除券Ｔ２上）に載置される。
【００２２】
ＩＣカードリーダ３６は、これらの区分カードＢとの距離、位置などを読み取ることで、排除券カセット２０の搬送時における排除券Ｔの不正取出を検知することができる。例えば、搬送員Ｍが、排除券収容部３４に収容された排除券Ｔを取り出す際に、区分カードＢを合わせて取り出した場合には、ＩＣカードリーダ３６が区分カードＢの枚数に変化が生じたことを示す情報を取得することで、排除券Ｔの不正取出を検知する。また、搬送員Ｍが、排除券収容部３４から区分カードＢを取り出さず、排除券Ｔのみを取り出した場合、ＩＣカードリーダ３６が区分カードＢの横方向の位置（図４に示すＸ方向の位置）に変化（ずれ）が生じたことを検知することで、排除券Ｔの不正取出を検知する。尚、複数の区分カードＢが排除券収容部３４に収容されている場合には、ＩＣカードリーダ３６は、これらの区分カードＢの集積順序を取得するようにしてもよい。
【００２３】
図６は、本実施形態に係る排除券カセット２０の制御構成を示すブロック図である。排除券カセット２０は、例えば、排除券カセット制御部５０と、区分カード供給部５２と、ＩＣカードリーダ３６と、カード情報記憶部５６と、解除信号受信部５８とを備える。
【００２４】
排除券カセット制御部５０は、排除券カセット２０の全体の動作を制御する。排除券カセット制御部５０は、紙葉類処理装置２の操作員によって操作される監視端末（図示しない）と接続されている。排除券カセット制御部５０は、監視端末から入力された紙幣束に関連する情報を受信する。
【００２５】
区分カード供給部５２は、排除券カセット制御部５０の制御下において、紙葉類処理装置２に投入される紙幣束毎に、区分カードＢを排除券収容部３４に供給する。区分カード供給部５２は、区分カードＢを排除券収容部３４に送り出すための駆動機構（ローラ、モータなど）を備えている。
【００２６】
ＩＣカードリーダ３６は、排除券カセット制御部５０の制御下において、排除券収容部３４に収容された区分カードＢのＩＣカードの情報を読み取る。例えば、ＩＣカードリーダ３６は、区分カードＢとの距離、位置などの情報を取得する。ＩＣカードリーダ３６は、区分カードＢの情報をカード情報記憶部５６に記憶させる。
【００２７】
カード情報記憶部５６は、ＩＣカードリーダ３６から入力された区分カードＢの情報を記憶する。カード情報記憶部５６は、ＲＯＭ（Read Only Memory）やＲＡＭ（Random Access Memory）、ＨＤＤ（Hard Disk Drive）、フラッシュメモリなどで実現される。
【００２８】
解除信号受信部５８は、照合装置３の解除信号送信部から送信された、例えば、赤外線信号である解除信号を受信して排除券カセット制御部５０に出力する。解除信号とは、ＩＣカードリーダ３６による区分カードＢの読み取り動作を停止させる信号である。解除信号を受け取った排除券カセット制御部５０は、ＩＣカードリーダ３６による区分カードＢの読み取り動作を停止させる。
【００２９】
次に、本実施形態に係る照合装置３について説明する。図７は、本実施形態に係る照合装置３の制御構成を示すブロック図である。照合装置３は、例えば、照合制御部６０と、排除券照合部６２と、照合情報記憶部６４と、解除信号送信部６６と、受付部６８とを備える。
【００３０】
照合制御部６０は、照合装置３の全体の動作を制御する。照合制御部６０は、受付部６８を介して入力される照合装置３の操作員の指示に基づいて、照合装置３の動作を制御する。
【００３１】
排除券照合部６２は、照合制御部６０の制御下において、排除券Ｔの照合処理を行う。排除券照合部６２は、照合処理の結果を照合情報記憶部６４に記憶させる。
【００３２】
照合情報記憶部６４は、排除券照合部６２から入力された照合処理の結果を記憶する。照合情報記憶部６４は、ＲＯＭ（Read Only Memory）やＲＡＭ（Random Access Memory）、ＨＤＤ（Hard Disk Drive）、フラッシュメモリなどで実現される。
【００３３】
解除信号送信部６６は、排除券カセット２０に対して、例えば、赤外線信号である解除信号を送信する。受付部６８は、照合装置３の操作員の指示を受け付け、受け付けた指示に関連する情報を照合制御部６０に出力する。受付部６８は、例えば、ユーザインターフェースとして機能するキーボード、タッチパネル式表示装置、マイクなどにより実現される。
【００３４】
排除券カセット２０および照合装置３の上記の各機能部の全部または一部は、ＣＰＵ等のプロセッサが、プログラムメモリに記憶されたプログラムを実行することで実現される。尚、排除券カセット２０および照合装置３の上記の各機能部の全部または一部は、プロセッサがプログラムを実行するのと同様の機能を有するＬＳＩ（Large Scale Integration）、およびＡＳＩＣ（Application Specific Integrated Circuit）などのハードウェアにより実現されてもよい。
【００３５】
次に、本実施形態の紙葉類不正取出検知システム１の動作について説明する。図８は、本実施形態に係る紙葉類不正取出検知システム１の動作の流れを示すフローチャートである。
【００３６】
まず、振分け対象となる紙幣束が紙葉類処理装置２にセットされ、紙葉類処理装置２が紙幣束の振分け処理を行う（ステップＳ１０１）。この振分け処理の開始時において、区分カード供給部５２は、排除券カセット制御部５０の制御下において、第１の区分カードＢ１を、載置部４４上に載置する。この振分け処理の結果、紙幣Ｐは、正券、損券および排除券に区分される。正券は、紙幣の券種毎に振分けられる。排除券Ｔは、排除券カセット２０内に設けられた排除券収容部３４に集積される。
【００３７】
次に、区分カード供給部５２は、振分け対象となる紙幣束に対する振分け処理が完了した場合、第２の区分カードＢ２を、載置部４４上（集積された排除券Ｔ上）に載置する（ステップＳ１０３）。尚、振分け対象となる紙幣束が複数存在する場合には、紙葉類処理装置２において、上記の振分け処理と区分カードの挿入処理が繰り返し行われる。
【００３８】
次に、搬送員Ｍによって排除券Ｔが収容された排除券カセット２０が紙葉類処理装置２から取り外されて照合装置３に搬送される間、ＩＣカードリーダ３６は、排除券収容部３４に収容された少なくとも１つの区分カードＢから読み取った情報を、排除券カセット制御部５０に出力する。排除券カセット制御部５０は、ＩＣカードリーダ３６から入力された区分カードＢの読み取り情報に基づいて、排除券Ｔの不正取出が行われたか否かを判定する（ステップＳ１０５）。
【００３９】
例えば、搬送員Ｍが、排除券収容部３４に収容された排除券Ｔを不正に取り出す際に、区分カードＢを合わせて取り出した場合には、排除券カセット制御部５０は、区分カードＢの枚数に変化が生じたことを示す情報を検知することで、排除券Ｔの不正取出を検知する。また、搬送員Ｍが、排除券収容部３４から区分カードＢを取り出さず、排除券Ｔのみを取り出した場合、排除券カセット制御部５０は、区分カードＢの横方向の位置に変化が生じたこと示す情報を検知することで、排除券Ｔの不正取出を検知する。尚、排除券取出し部４２を下方向にスライドさせた際に、バネ４６が縮んで載置部４４が下方向にスライドするように構成されている場合には、区分カードＢの上下方向の位置も大きく変化することになる（ＩＣカードリーダ３６と区分カードＢとが離れることになる）。この場合、排除券カセット制御部５０は、区分カードＢの上下方向（図４に示すＹ方向の位置）の位置に変化が生じたこと示す情報を検知することで、排除券Ｔの不正取出を検知してもよい。
【００４０】
排除券カセット制御部５０は、排除券Ｔの不正取出が行われたと判定した場合、不正取出が行われたことを示す情報およびＩＣカードリーダ３６から入力された区分カードＢの読み取り情報を、カード情報記憶部５６に記憶させる（ステップＳ１０７）。この場合、排除券カセット制御部５０は、不正取出が行われた時刻情報などを合わせてカード情報記憶部５６に記憶させてよい。尚、排除券カセット制御部５０は、排除券Ｔの不正取出が行われたと判定した場合、アラームを鳴らしたり、無線通信機を介して監視端末（図示しない）に不正取出が行われた旨を通知するようにしてもよい。
【００４１】
一方、排除券カセット制御部５０は、排除券Ｔの不正取出が行われていないと判定した場合、解除信号を受信したか否かを判定する（ステップＳ１０９）。解除信号を受信したということは、排除券カセット２０の搬送が完了し、照合装置３により照合処理が開始されることを意味する。排除券カセット制御部５０は、解除信号を受信していないと判定した場合、排除券Ｔの不正取出が行われたか否かの判定を継続する。
【００４２】
一方、排除券カセット制御部５０は、解除信号を受信したと判定した場合、ＩＣカードリーダ３６による区分カードＢからの情報の読み取りを停止させる（ステップＳ１１１）。尚、排除券カセット２０は、解除信号受信部５８に代えて、解除用ＩＣカードを読み取るためのリーダを備え、このリーダが解除用ＩＣカードを認識することでＩＣカードリーダ３６による区分カードＢからの情報の読み取りを停止させるようにしてもよい。
【００４３】
次に、排除券カセット２０が照合装置３と通信可能にされ、排除券カセット２０のカード情報記憶部５６に記憶された不正取出情報に基づいて、不正取出行為の有無が判定される（ステップＳ１１３）。例えば、照合制御部６０は、排除券カセット２０のカード情報記憶部５６に記憶された情報を読み出し、不正取出行為の判定結果を照合装置３の表示部（図示しない）に表示する。これにより、照合装置３の操作員は、不正取出行為の有無を確認することができる。
【００４４】
次に、照合制御部６０は、排除券カセット２０に収容されている排除券Ｔの枚数を計数し、この計数された排除券Ｔの枚数と、例えば、照合制御部６０と通信線を介して接続された紙葉類処理装置２から取得した正券および損券の枚数、並びに紙葉類処理装置２に投入された紙幣Ｐの枚数とを用いて、照合処理を行う（ステップＳ１１５）。照合制御部６０は、例えば、表示部（図示しない）に照合結果を表示し、本フローチャートの処理を終了する。尚、排除券カセット２０に収容されている排除券Ｔの枚数を操作員が手動で計数し、照合制御部６０に入力するようにしてもよい。
【００４５】
以上説明した本実施形態によれば、排除券カセット２０の搬送中における排除券Ｔの不正取出を検知することが可能な紙葉類不正取出検知方法および紙葉類不正取出検知システムを提供することができる。
【００４６】
（第２の実施形態）
次に、第２の実施形態について説明する。第１の実施形態と比較して、第２の実施形態における紙葉類不正取出検知システムは、排除券カセットが、区分カード書込み部を備える点が異なる。このため、第２の実施形態の説明において、上記の第１の実施形態と同様の部分には同じ参照番号を付与し、その説明を省略あるいは簡略化する。
【００４７】
図９は、第２の実施形態に係る排除券カセット７０の制御構成を示すブロック図である。図９に示すように、第１の実施形態の排除券カセット２０と比較して、本実施形態の排除券カセット７０は、区分カード書込み部７２をさらに備えている。
【００４８】
区分カード書込み部７２は、排除券Ｔ上に区分カードＢを配置する前に、排除券カセット制御部５０の制御下において、区分カード収容部４０に収容されている区分カードＢに対して、紙葉類処理装置２に投入された紙幣束に関連する情報を書き込む。区分カード書込み部７２は、例えば、紙葉類処理装置２の操作員によって操作される監視端末（図示しない）から入力された紙幣束に関連する情報を、区分カードＢに対して、各種情報を書き込む。区分カードに対して書き込まれる各種情報には、バッチ番号、券種、バッチサイズ、束番号、出向元、照合タイプ、正券枚数、損券枚数などが含まれる。区分カード書込み部７２は、例えば、ＩＣカードライタである。
【００４９】
次に、本実施形態の紙葉類不正取出検知システム１の動作について説明する。図１０は、本実施形態に係る紙葉類不正取出検知システム１の動作の流れを示すフローチャートである。
【００５０】
まず、振分け対象となる紙幣束が紙葉類処理装置２にセットされ、紙葉類処理装置２が紙幣束の振分け処理を行う（ステップＳ２０１）。この振分け処理の開始時において、区分カード供給部５２は、排除券カセット制御部５０の制御下において、第１の区分カードＢ１を、載置部４４上に載置する。この振分け処理の結果、紙幣Ｐは、正券、損券および排除券に区分される。これにより、排除券Ｔは、排除券カセット２０内に設けられた排除券収容部３４に集積される。
【００５１】
次に、区分カード書込み部７２は、排除券カセット制御部５０の制御下において、区分カード収容部４０に収容されている区分カード（次に、区分カード収容部４０から送り出される第２の区分カードＢ２）に対して、紙葉類処理装置２に投入された紙幣束に関連する情報を書き込む（ステップＳ２０３）。
【００５２】
次に、区分カード供給部５２は、紙幣束に関連する情報を書き込まれた第２の区分カードＢ２を、載置部４４上（集積された排除券Ｔ上）に載置する（ステップＳ２０５）。尚、振分け対象となる紙幣束が複数存在する場合には、紙葉類処理装置２において、上記の振分け処理、区分カードの書き込み処理、および区分カードの挿入処理が繰り返し行われる。
【００５３】
次に、搬送員Ｍによって排除券Ｔが収容された排除券カセット２０が紙葉類処理装置２から取り外されて照合装置３に搬送される間、ＩＣカードリーダ３６は、排除券収容部３４に収容された少なくとも１つの区分カードから読み取った情報を、排除券カセット制御部５０に出力する。排除券カセット制御部５０は、ＩＣカードリーダ３６から入力された区分カードの読み取り情報に基づいて、排除券Ｔの不正取出が行われたか否かを判定する（ステップＳ２０７）。
【００５４】
排除券カセット制御部５０は、排除券Ｔの不正取出が行われたと判定した場合、不正取出が行われたことを示す情報およびＩＣカードリーダ３６から入力された区分カードの読み取り情報を、カード情報記憶部５６に記憶させる（ステップＳ２０９）。
【００５５】
一方、排除券カセット制御部５０は、排除券Ｔの不正取出が行われていないと判定した場合、解除信号を受信したか否かを判定する（ステップＳ２１１）。排除券カセット制御部５０は、解除信号を受信していないと判定した場合、排除券Ｔの不正取出が行われたか否かの判定を継続する。
【００５６】
一方、排除券カセット制御部５０は、解除信号を受信したと判定した場合、ＩＣカードリーダ３６による区分カードＢからの情報の読み取りを停止させる（ステップＳ２１３）。
【００５７】
次に、排除券カセット２０が照合装置３と通信可能にセットされ、排除券カセット２０のカード情報記憶部５６に記憶された不正取出情報に基づいて、不正取出行為の有無が判定される（ステップＳ２１５）。
【００５８】
次に、照合制御部６０は、排除券カセット２０に収容されている排除券Ｔの枚数を計数する。また、照合制御部６０は、区分カードＢに記憶されている正券および損券の枚数、並びに紙葉類処理装置２に投入された紙幣Ｐの枚数を読み出す。照合制御部６０は、この排除券Ｔの枚数と、区分カードＢから読み出された正券および損券の枚数、並びに紙葉類処理装置２に投入された紙幣Ｐの枚数とを照らしあわせる照合処理を行う（ステップＳ２１７）。照合制御部６０は、例えば、表示部（図示しない）に照合結果を表示し、本フローチャートの処理を終了する。尚、操作員が、排除券カセット２０から区分カードＢを手動で取り出し、別途準備されたＩＣカードリーダに読み込ませることで、区分カードＢに記憶されている正券および損券の枚数、並びに紙葉類処理装置２に投入された紙幣Ｐの枚数を取得するようにしてもよい。また、操作員が、手動で上記の照合処理を行うようにしてもよい。
【００５９】
以上説明した本実施形態によれば、排除券カセットの搬送中における排除券の不正取出を検知することが可能な紙葉類不正取出検知方法および紙葉類不正取出検知システムを提供することができる。
【００６０】
また、本実施形態によれば、照合制御部６０は、区分カードＢに記憶されている正券および損券の枚数、並びに紙葉類処理装置２に投入された紙幣Ｐの枚数を用いて照合処理を行う。このため、紙葉類処理システムの運用中にデータベースの故障などが発生した場合であっても、照合処理および排除券の盗難の検知を行うことができる。
【００６１】
尚、本実施形態において、紙葉類Ｐは紙幣に限られず、郵便物の料額印、小切手、各種帳票などにも適用できる。
【００６２】
以上説明した少なくともひとつの実施形態によれば、紙葉類の振分け処理により振分けられた少なくとも１枚の排除券を排除券カセットに収容し、前記排除券上にＩＣカードを備えた区分カードを配置し、前記排除券および区分カードを収容した前記排除券カセットを搬送する間、前記区分カードの情報を前記排除券カセットに設けられたＩＣカードリーダで読み取り、前記ＩＣカードリーダによって読み取られた前記区分カードの横方向の位置または距離に基づいて、前記排除券カセットからの前記排除券の不正取出を検知する。これによって、実施形態の紙葉類不正取出検知方法は、排除券カセットの搬送中における排除券の不正取出を検知することが可能な紙葉類不正取出検知方法および紙葉類不正取出検知システムを提供することができる。
【００６３】
上記実施形態は、以下のように表現することができる。
紙葉類の振分け処理により振分けられた少なくとも１枚の第１紙葉類をカセットに収容し、
前記第１紙葉類上にＩＣカードを備えた区分カードを配置し、
前記第１紙葉類および区分カードを収容した前記カセットを搬送する間、前記区分カードの情報を前記カセットに設けられたＩＣカードリーダで読み取り、
前記ＩＣカードリーダによって読み取られた前記区分カードの横方向の位置または距離に基づいて、前記カセットからの前記第１紙葉類の不正取出を検知する、
紙葉類不正取出検知方法。
【００６４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６５】
１…紙葉類不正取出検知システム、２…紙葉類処理装置、３…照合装置、２０，７０…排除券カセット、３６…ＩＣカードリーダ、５２…区分カード供給部、７２…区分カード書込み部
【図１】
2018116393.tif 000003
【図２】
2018116393.tif 000004
【図３】
2018116393.tif 000005
【図４】
2018116393.tif 000006
【図５】
2018116393.tif 000007
【図６】
2018116393.tif 000008
【図７】
2018116393.tif 000009
【図８】
2018116393.tif 000010
【図９】
2018116393.tif 000011
【図１０】
2018116393.tif 000012